(57)【要約】【課題】給湯器の設置と配管施工における施工性を総合的に向上させる。【解決手段】本発明は、給湯器１が取り付けられる外壁材２と、その関連部材を予め専用パネル化したものであり、該パネルは、外壁材２を建て込む軸組フレーム３と、その屋内側に結合された配管下地フレーム４と、配管下地フレーム４に取り付けられて外壁材２の裏面に当てがわれた給湯器取付下地プレート４２と、外壁材２と等幅で同一面をなすようにして軸組フレーム３に取り付けられた配管接続パネル７とを一体的に具備する。配管接続パネル７には屋内外双方に配管を接続しうる複数個の配管接続口（配管継手部材７１）が設けられて、給湯器１に接続される一次側配管系８１が上記配管接続口を経由して壁内空間に引き込まれる。【選択図】図１
2010096387.tif 000002
【特許請求の範囲】
【請求項１】
外壁材と、
上記外壁材の屋内側に結合されて該外壁材を建物の軸組に建て込む軸組フレームと、
上記軸組フレームの屋内側に結合された配管下地フレームと、
上記配管下地フレームに取り付けられて上記外壁材の裏面に当てがわれた給湯器取付下地プレートと、
上記外壁材の屋外側に取り付けられ、外壁材を貫通するボルト部材により上記給湯器取付下地プレートを下地として固定される給湯器と、
上記外壁材と等幅で同一面をなすように上記軸組フレームに取り付けられ、屋内外双方に配管を接続しうる複数個の配管接続口を備えた配管接続パネルと
を一体的に具備してなる給湯器設置用複合壁パネル。
【請求項２】
請求項１に記載の給湯器設置用複合壁パネルにおいて、
外壁材と配管接続パネルとは側縁部の断面形状を揃えて接合され、該接合部及び配管接続口の周部には止水処理が施されたことを特徴とする給湯器設置用複合壁パネル。
【請求項３】
請求項１又は２に記載の給湯器設置用複合壁パネルにおいて、
配管下地フレームにヘッダーを保持するための横桟材が取り付けられていることを特徴とする給湯器設置用複合壁パネル。
【請求項４】
請求項１〜３のいずれか一項に記載の給湯器設置用複合壁パネルにおいて、
配管点検用扉が、外壁材と等幅で同一面をなすように軸組フレームに取り付けられ、屋外側から開閉可能となされたことを特徴とする給湯器設置用複合壁パネル。
【請求項５】
請求項１〜４のいずれか一項に記載された給湯器設置用複合壁パネルを用いる給湯器の設置構造であって、
軸組フレームを建物の軸組に建て込み、給湯器に接続される配管系を配管接続パネルの配管接続口を経由させて壁内側に延設し、軸組フレーム及び配管下地フレームによって囲まれた空間内に給水用又は給湯用のヘッダーを配して、上記配管系の少なくとも一部を該ヘッダーに接続して分岐したことを特徴とする給湯器の設置構造。
【請求項６】
請求項５に記載の給湯器の設置構造において、
配管下地フレームの屋内側を、配管下地フレームから離隔した内壁材で囲むことにより、軸組フレーム及び配管下地フレームによって囲まれた空間と一体に連通するパイプスペースが形成されたことを特徴とする給湯器の設置構造。
【請求項７】
請求項６に記載の給湯器の設置構造において、
内壁材の一部に、屋内側から開閉可能な点検口が設けられたことを特徴とする給湯器の設置構造。
【発明の詳細な説明】
【技術分野】
【０００１】
本発明は、建物の外壁部分に給湯器を設置するに際し、給湯器の設置場所に建て込んで建物の軸組と一体的に結合される給湯器設置用複合壁パネルと、該複合壁パネルを利用した給湯器の設置構造に関する。
【背景技術】
【０００２】
建物の外壁に壁掛けタイプの給湯器を取り付けることがよく行われている。その場合の給湯器の設置構造としては、例えば特許文献１に開示されているように、外壁材に取付孔を穿設してアンカープラグを埋め込み、給湯器の背面側に取り付けられたブラケット等を上記アンカープラグにボルト締結する構造が一般的である。外壁材が薄い場合は、外壁材を貫通させて形成した取付孔に固定用のボルトを挿通させたり、外壁材の表面または裏面に補強下地となる木板等を貼設して取付強度を確保するなどの手段が採用されることもある。
【０００３】
壁掛けタイプの給湯器に接続される給水・給湯・ガス等の配管系は通常、給湯器の下方に引き出され、外壁材を貫通する配管孔に挿通されて、屋内側へと配設される。外壁材を貫通する配管孔は、ほとんどの場合、現場で加工され、配管を挿通した後、コーキング等による止水処理が施される。特許文献２、３等に開示されているように、それらの配管部分を略箱状のカバー部材で覆い隠す技術も公知である。
【０００４】
また、近年ではヘッダー配管工法が多用されつつあるが、この工法においては、例えば特許文献４に開示されているように、外壁材を貫通した配管系（一次側配管）が、壁体の内部を経由して床下まで引き回され、床下に配置されたヘッダーに接続されて各所に分岐されるという配管形態もよく採用される。
【特許文献１】特開平９−３０３８８３号公報
【特許文献２】特開平９−４９２８号公報
【特許文献３】特開２００７−２９８２００号公報
【特許文献４】特開２００１−１５９１６７号公報
【発明の開示】
【発明が解決しようとする課題】
【０００５】
本発明は、上記のような状況に鑑みて、給湯器の設置と配管施工における施工性を総合的に向上させようとしたものである。
【０００６】
すなわち、外壁材が薄い場合や、その材質があまり強固でない場合には、給湯器の取付強度を十分に確保することのできる補強下地構造が必要になる。かかる補強下地構造として従来、特に標準化されたものはない。また、屋外側の表面に木板等を貼設すれば意匠性も損なわれる。そこで本発明は、まず、給湯器を容易に、かつ強固に固定するのに適し、外観意匠も損なわないような補強下地構造を提供することを第一の目的とする。
【０００７】
また、外壁材に配管を挿通させるための貫通孔を形成する作業は、通常、現場施工となるので、施工品質を確保するのが難しい。大抵の外壁材には意匠的な凹凸模様が形成されているが、それらの凹凸模様が孔開け加工の精度を低下させるとともに、形成された貫通孔にコーキング等の止水処理を施す際にも、その施工を困難にする。本発明は、かかる配管貫通箇所の施工性を改善することを第二の目的とする。
【０００８】
さらに、ヘッダー配管工法を採用する場合、径の太い一次側配管系を、窮屈な壁内スペースに、床下までの長距離にわたって配設するのが困難である。この施工部分は、配管工事と壁体の大工工事との取り合いとなり、手間がかかって施工品質を確保しにくい。そこで本発明は、給湯器周辺の配管の取り回しを容易にすべく、給湯器に近接させてヘッダーを配置しうる配管構造を提供することを第三の目的とする。
【０００９】
そして、これらの目的を複合的に達成すべく、給湯器を設置するための外壁材と、その関連部材を予め専用パネル化して、該パネルに配管施工を効率化しうる手段を一体に組み込んだ給湯器設置用複合壁パネルと、かかるパネルを用いた給湯器の設置構造を提供することを具体的な解決課題とする。
【課題を解決するための手段】
【００１０】
上記課題解決のため、本発明の給湯器設置用複合壁パネルは、外壁材と、上記外壁材の屋内側に結合されて該外壁材を建物の軸組に建て込む軸組フレームと、上記軸組フレームの屋内側に結合された配管下地フレームと、上記配管下地フレームに取り付けられて上記外壁材の裏面に当てがわれた給湯器取付下地プレートと、上記外壁材の屋外側に取り付けられ、外壁材を貫通するボルト部材により上記給湯器取付下地プレートを下地として固定される給湯器と、上記外壁材と等幅で同一面をなすように上記軸組フレームに取り付けられ、屋内外双方に配管を接続しうる複数個の配管接続口を備えた配管接続パネルとを一体的に具備してなるものである。
【００１１】
このようにして一体的に構成された給湯器設置用複合壁パネルは、隣接する一般部の外壁パネルと同様にして建物の軸組に建て込むだけで、給湯器を所定の位置に確実に支持するものとなる。給湯器に接続される配管系は、専用の配管接続パネルに設けた配管接続口を利用して配設することができるので、外壁材に貫通孔を形成する必要がなくなり、施工性が大幅に改善される。上記配管接続口を介して壁内側に引き込まれた配管系は、軸組フレームと、その屋内側に軸組フレームと一体に建て込まれる配管下地フレームとによって囲まれた枠内空間を利用して引き回し、ヘッダー等に接続することができる。さらに、配管下地フレームを利用して、例えばヘッダーを保持するための横桟材や、その他の配管施工に必要な周辺部材を配備することもきわめて容易になる。そして、給湯器や上記の配管系は、給湯器設置用複合壁パネルを建て込む前に、その大部分を予め組み付け、あるいは接続しておくことが可能であるから、これらの相乗的な作用によって現場での配管施工作業が大幅に省力化される。また、給湯器周りの配管設備や構造体を組み合わせて、寸法的にも標準化すれば、建物全体の平面計画や設備計画も容易になる。
【００１２】
上記の構成に係る給湯器設置用複合壁パネルにおいては、外壁材と配管接続パネルとは側縁部の断面形状を揃えて接合されるのが好ましく、これによって、外壁材及び配管接続パネルを軸組に固定する際の納まりが統一される。また、外壁材と配管接続パネルとの接合部や配管接続口の周部に止水処理が施されるのが好ましく、これによって、壁内に雨水が浸入するのを好適に排除することができる。
【００１３】
さらに、上記の構成に係る給湯器設置用複合壁パネルは、配管点検用扉が、外壁材と等幅で同一面をなすように軸組フレームに取り付けられ、屋外側から開閉可能となるように構成することもできる。この構成により、給湯器に接続される配管系やヘッダー等のメンテナンスが容易になる。
【００１４】
また、本発明の給湯器の設置構造は、上記給湯器設置用複合壁パネルを用いるものであって、上記給湯器設置用複合壁パネルの軸組フレームを建物の軸組に建て込み、給湯器に接続される配管系を配管接続パネルの配管接続口を経由させて壁内側に延設し、軸組フレーム及び配管下地フレームによって囲まれた空間内に給水用又は給湯用のヘッダーを配して、上記配管系の少なくとも一部を該ヘッダーに接続して分岐したものとして特徴づけられる。
【００１５】
この発明によれば、給湯器を設置する外壁材の裏側に形成された、軸組フレーム及び配管下地フレームの枠内空間を利用して、給湯器に接続される一次側配管を容易に引き回すことができる。また、ヘッダーを給湯器に近接させて配置することができるので、施工が困難な太径の一次側配管の延設長さを従来よりも短縮することができる。これらによって、給湯器に接続される配管系の接続部位を集約することができ、設計、施工。管理等の面で格段の効率化を実現できる。
【００１６】
さらに、本発明の給湯器の設置構造は、配管下地フレームの屋内側を、配管下地フレームから離隔した内壁材で囲むことにより、軸組フレーム及び配管下地フレームによって囲まれた空間と一体に連通するパイプスペースが形成されたことを特徴とする。
【００１７】
この発明は、給湯器の裏面側に、壁内空間の一部を有効利用してコンパクトなパイプスペースを形成したものである。各種配管が複雑に接続される給湯器周りの配管系を、そのままパイプスペースに収容することで、それら配管系の施工が一層、容易になり、各種配管を集約的にメンテナンスすることができる。
【００１８】
また、給湯器に接続される配管系だけでなく、例えば排水管等の縦配管を、このパイプスペースに一緒に収容することも、もちろん可能になる。例えば集合住宅等においても、かかるパイプスペースを上下に配置することにより、戸建住宅と同様に配管効率を向上させることができる。
【００１９】
さらに、この給湯器の設置構造においては、内壁材の一部に、屋内側から開閉可能な点検口を設けることにより、メンテナンスが一層、容易になる。
【発明の効果】
【００２０】
上述のように構成される本発明の給湯器設置用複合壁パネルを利用することにより、外壁の種類によらず、給湯器の設置や給湯器に接続される一次配管系の施工が容易になり、現場での施工手間が大幅に軽減されて、止水性能も含めた施工品質が向上する。
【００２１】
また、かかる給湯器設置用複合壁パネルを利用した本発明の給湯器の設置構造によれば、給湯器の裏側の壁内空間を利用して、給湯器に接続される太径の一次側配管を効率的に引き回すことができる。また、上記壁内空間に各種配管がコンパクトに集約されるので、集中的なメンテナンスがし易くなる。
【発明を実施するための最良の形態】
【００２２】
以下、本発明の実施の形態について図を参照しつつ説明する。図１は、本発明の給湯器設置用複合壁パネルを用いた給湯器の設置構造の概念モデルを示す分解斜視図であり、図２は同概念モデルにおける給湯器設置部分の縦断面略図、図３は同じく給湯器設置部分の横断面略図である。
【００２３】
本発明の給湯器設置用複合壁パネルは、給湯器１が設置される外壁材２と、外壁材２の屋内側に結合された軸組フレーム３と、軸組フレーム３の屋内側に結合された配管下地フレーム４と、からなる少なくとも３層の構造を一体的に具備するものである。
【００２４】
プレファブ住宅等にあっては、予め工場で所定の割付寸法に形成した外壁材の裏面に枠材等を取り付けてパネル化しておき、その外壁パネルを現場で、鉄骨材や木材からなる軸組に建て込み、適宜の取付金具等を用いて外壁パネルを軸組に結合する構造が、しばしば採用される。本発明の給湯器設置用複合壁パネルを構成する外壁材２も、基本的にはその種の外壁パネルと同様に、予め所定の割付寸法に形成され、隣接する一般部の外壁パネルと共通の取付構造によって軸組に建て込まれるものである。
【００２５】
すなわち、図１、図３に示すように、適宜の材質からなる外壁材２の裏面周縁部に、例えば溝形の断面を有する枠材２１が予め結合されている。本発明において、外壁材２自体の材質や断面構造は特に限定しないが、基本的には隣接する一般部の外壁材２’と同一か、あるいはその意匠を模したものである。軸組フレーム３は、例えば溝形鋼や角形鋼管等を枠組みしたもので、この軸組フレーム３も、隣接する一般部の軸組フレーム３’と共通の部材断面を有している。そして、この給湯器設置用複合壁パネルと、隣接する一般部の外壁パネルとが、それぞれを支持する軸組フレーム３、３’同士を隣接させて建て込まれ、例えば図３に示すような専用の取付金具６を介して相互に連結される。
【００２６】
例示した取付金具６は、溝形鋼からなる軸柱３１の隣接箇所に挿し込まれて適宜の嵌着部材（図示せず）等により軸柱３１に対して固定される軸部材６１と、該軸部材６１の屋外側に回動自在に取り付けられて、外壁材２の周縁部に設けられた枠材２１に係合する外壁パネル固定片６２と、該軸部材６１の屋内側に回動自在または着脱自在に取り付けられて、後述する内壁下地パネル５の枠材５１に係合する内壁パネル固定片６３とを有するものである。外壁材２の目地部分から軸部材６１の端部を操作すれば、必要に応じて外壁材２を着脱することもできるようになっている。ただし、本発明においては、この種の取付金具６の詳細な構造を限定するものではなく、外壁材２の周縁部の枠材２１と、軸柱３１と、内壁下地パネル５の枠材５１とを相互に連結し得るものであればよい。
【００２７】
配管下地フレーム４は、内壁下地パネル５に隣接して軸組フレーム３の屋内側に取り付けられる枠体である。図３に示した形態において、内壁下地パネル５は、木材や軽量鉄骨材等からなる枠材５１を枠組みして構成されている。内壁下地パネル５の枠内には断熱材（図示せず）が充填され、屋内側に石こうボード等の内壁材５２が貼設される。枠材５１の角部には切欠部が形成され、この切欠部に上記した取付金具６の内壁パネル固定片６３が係合することにより軸組フレーム３、３’に結合される。
【００２８】
本発明の給湯器設置用複合壁パネルを構成する配管下地フレーム４も、内壁下地パネル５と同様の寸法及び構造を有する枠体である。配管下地フレーム４の枠材４１は、内壁下地パネル５の枠材５１と共通の断面形状をなすように形成されて、軸組フレーム３の屋内側に、隣接する内壁下地パネル５と共通の納まりで取り付けられる。ただし、配管下地フレーム４の枠内に断熱材が充填されず、枠内空間は配管用スペースとして利用される。
【００２９】
配管下地フレーム４には、外壁材２の表面に給湯器１を設置する際の補強下地となる給湯器取付下地プレート４２が取り付けられている。図１〜図３に示した給湯器取付下地プレート４２は、金属板材を横断面略ハット状に形成したものである。側縁部に形成されたハットの底部が配管下地フレーム４の枠材４１に接合され、中央部に位置するハットの頂部が、軸組フレーム３の内側を経由して外壁材２の裏面に当てがわれている。そして、給湯器１を取り付けるブラケット１１等の位置に合わせて、外壁材２及び給湯器取付下地プレート４２に貫通孔が形成され、その貫通孔に固定用のボルト部材１２が挿通されるなどして給湯器１が固定される。
【００３０】
給湯器取付下地プレート４２の形状や、給湯器１を固定するためのブラケット１１、ボルト部材１２等の固定手段は、特に例示形態に限定されるものではないが、このように、予め外壁材２の裏側に補強下地を用意して一体化しておけば、外壁材２自体の材質強度が不十分な場合であっても、給湯器１を容易に、かつ強固に、また外観意匠も損なわないようにして設置することができる。
【００３１】
給湯器１に接続される一次側配管系８１は、外壁部分を貫通して屋内側に引き込まれるが、本発明の給湯器設置用複合壁パネルにあっては、軸組フレーム３の屋外側に取り付けられる外壁材２の一部が配管接続パネル７に置き換えられて、この配管接続パネル７が外壁の配管貫通部を構成している。配管接続パネル７は、例えば金属板材を折曲加工するなどして外壁材２と同程度の厚さにしたもの、あるいは予め外壁材２と同程度の厚さになるように合成樹脂等を成形したもの等によって構成される。配管接続パネル７は、外壁材２と等幅で、外壁材２と略面一になるように接合される。配管接続パネル７の両側縁部は外壁材２の周縁部と同一の断面形状をなし、上記した取付金具６も係合しうるように形成されている。配管接続パネル７と外壁材２との接合部は、適宜のシール部材やパッキン（図示せず）を嵌挿させて止水処理される。
【００３２】
配管接続パネル７には複数個の配管接続口が設けられる。配管接続口は、配管接続パネル７を貫通して屋内外双方に配管を接続しうる適宜の配管継手部材７１によって構成される。配管継手部材７１は、配管接続パネル７を略水平に貫通して、その片端または両端が上下に屈曲するエルボ状のものでもよいし、配管接続パネル７を、例えば屋外側が高く、屋内側が低くなるように斜めに貫通するようなものであってもよい。継手の形式は、当該管路を供給される流体の種類に応じて適宜選択される。配管継手部材７１の周部と配管接続パネル７との間は、屋内外双方から嵌装されるパッキン等によって万全に止水処理される。良好な止水効果を得るには、少なくとも配管継手部材７１の周部近傍における配管接続パネル７の表裏両面が平滑に仕上げられているのが望ましい。
【００３３】
給湯器１に直接、接続される一次側配管系８１は、上記の配管継手部材７１を介して、軸組フレーム３と配管下地フレーム４とによって囲まれた壁内空間に引き込まれる。そして、本発明の給湯器の設置構造においては、給湯器１に近接した上記壁内空間に、給水管や給湯管を分岐するためのヘッダー８２が配置される。ヘッダー８２は、例えば配管下地フレーム４の適所に架け渡した横桟材４３等に、適当なヘッダー固定具４４等を用いて固定される。これら給湯器１からヘッダー８２までの一次側配管系８１は、予め工場等で給湯器設置用複合壁パネルに組み付けられていてもよい。
【００３４】
ヘッダー８２の下流側（二次側）に接続される給水及び給湯の分岐管路８３は、例えば壁内空間から基礎（図示せず）の肩部に形成した配管挿通用切欠部を経由させるなどして床下へと延設され、さらに各管路８３の行き先に応じて適宜引き回される。実用的な設計寸法として、軸組フレーム３及び配管下地フレーム４の厚さは各６０ｍｍ前後になるから、これらを抱き合わせた枠内スペースには、ヘッダー８２に接続される複数本の管路８３を無理なく納めることができる。なお、図１において、ヘッダー８２を経由せずに配管接続口に接続されている一対の管路８４は、風呂の追い焚き用である。
【００３５】
例示形態においては、配管接続パネル７の下方に、配管点検用扉パネル９が取り付けられている。配管点検用扉パネル９は、配管接続パネル７と同様に、外壁材２と等幅かつ面一で、両側縁部が外壁材２の周縁部と同一の断面形状をなすように形成されたパネル部材であって、これも上記と同じ軸組フレーム３に取り付けられる。配管点検用扉パネル９の面内には、適宜のヒンジ部材や施錠部材を介して、屋外側から開閉可能な配管点検用扉９１が取り付けられている。配管点検用扉パネル９と配管接続パネル７との接合部も、適宜のシール部材やパッキン（図示せず）を嵌挿させて止水処理される。配管接続パネル７と配管点検用扉パネル９とを一体的に継ぎ目なく形成することも、もちろん可能である。なお、配管点検用扉９１を設けない場合は、この位置に上部と同じ外壁材２が取り付けられる。
【００３６】
さらに、例示形態においては、内壁下地パネル５の屋内側に貼設される内壁材５２が、配管下地フレーム４から離隔して屋内側にせり出すように建て込まれ、その内側がパイプスペース１０となっている。このパイプスペース１０は、軸組フレーム３及び配管下地フレーム４によって囲まれた配管用の枠内空間を室内側に増厚したようなものであり、該枠内空間と一体的に利用することができる。このパイプスペース１０には、給湯器１に接続される上記の配管系８１、８３だけでなく、例えば排水管（雑排水管や汚水管）等の縦配管８５を収容することもできる。その種の縦配管８５を支持するための補助的な横桟材４５や固定具４６等を、予め配管下地フレーム４に取り付けておいてもよい。さらに、屋内側にせり出して設けた内壁材５２の一部に、屋内側から開閉可能な点検口５３を設ければ、パイプスペース１０内のメンテナンスが一層、容易になる。
【００３７】
本発明によれば、上記のような構成により、給湯器１の固定、配管用貫通孔の施工、配管の接続や引き回し等にかかる施工手間が軽減されて、施工品質が向上するとともに、配管やヘッダー等の集中的な点検管理も容易になる。
【図面の簡単な説明】
【００３８】
【図１】本発明の給湯器設置用複合壁パネルを用いた給湯器の設置構造の概念モデルを示す分解斜視図である。
【図２】上記概念モデルにおける給湯器設置部分の縦断面略図である。
【図３】同じく、上記概念モデルにおける給湯器設置部分の横断面略図である。
【符号の説明】
【００３９】
１  給湯器
１２  ボルト部材
２  外壁材
３  軸組フレーム
４  配管下地フレーム
４２  給湯器取付下地プレート
４３  横桟材
５２  内壁材
５３  点検口
７  配管接続パネル
７１  配管継手部材（配管接続口）
８２  ヘッダー
９１  配管点検用扉
１０  パイプスペース
【図１】
2010096387.tif 000003
【図２】
2010096387.tif 000004
【図３】
2010096387.tif 000005